(57)【要約】    【課題】  加湿能力及び衛生面で優れた機能を発揮する加湿器を提供する。    【解決手段】  加湿器本体１内に、散水室２、加湿部材３、及び、送風手段４を収容する。加湿器本体１には、吸込口１１と吹出口１２とを連通する空気流路１３を設ける。散水室２は、加湿器本体１内に配置し、下方に向かって水を供給可能な構成とする。加湿部材３は、散水室２の下方の空気流路１３内に配置し、散水室２から供給された水を吸収し、空気流路１３を流動する空気を通過可能な構成とする。送風手段４は、吸込口１１から空気流路１３に空気を取り入れ、加湿部材３を通過させて加湿した後、吹出口１２から排出させる構成とする。加湿部材３は、鉛直面に対して上方側が徐々に離れるように傾斜させて配置する。これにより、散水室２から落下させる水を、加湿部材３の傾斜面に供給可能とする。【選択図】  図１
2005049046.tif 000002
【特許請求の範囲】
【請求項１】
吸込口と吹出口とを連通する空気流路を備えた加湿器本体と、
前記加湿器本体内に配置され、下方に向かって水を供給する散水室と、
前記散水室の下方の空気流路内に配置され、該散水室から供給された水を吸収し、前記空気流路を流動する空気が通過する加湿部材と、
前記吸込口から空気流路に空気を取り入れ、前記加湿部材を通過させて加湿した後、前記吹出口から排出する送風手段とを備え、
前記加湿部材は、鉛直面に対して上方側が徐々に離れるように傾斜させて配置することにより、前記散水室から落下させる水を、前記加湿部材の傾斜面に供給可能としたことを特徴とする加湿器。
【請求項２】
前記散水室は、前記空気流路に配置した加湿部材の上面にも水を供給可能であることを特徴とする請求項１に記載の加湿器。
【請求項３】
前記加湿部材は、前記加湿器本体に着脱可能に設けたことを特徴とする請求項１又は２に記載の加湿器。
【請求項４】
前記加湿部材又は前記加湿器本体の少なくともいずれか一方に、前記空気流路からの空気の漏れを防止するガイド部を形成したことを特徴とする請求項１乃至３のいずれか１項に記載の加湿器。
【発明の詳細な説明】
【技術分野】
【０００１】
本発明は、加湿器に関するものである。
【背景技術】
【０００２】
従来、加湿器として、常に一定量の水を収容する水槽と、この水槽内の水面に非接触状態で配設された気化エレメントと、前記水槽内の水を汲み上げて前記気化エレメントに上方から給水するポンプと、前記気化エレメントを通して送風して外部に放出する送風ファンとを備えたものがある（例えば、特許文献１参照）。
【０００３】
【特許文献１】特開２００２−４８３６５号公報
【発明の開示】
【発明が解決しようとする課題】
【０００４】
しかしながら、前記構成の加湿器では、気化エレメントが鉛直面に沿って配置されている。このため、気化エレメントの上端面にのみ給水されることになり、全体には広がりにくい。したがって、加湿能力を十分に高めることが困難である。
【０００５】
そこで、本発明は、加湿能力及び衛生面で優れた機能を発揮する加湿器を提供することを課題とする。
【課題を解決するための手段】
【０００６】
本発明は、前記課題を解決するための手段として、加湿器を、
吸込口と吹出口とを連通する空気流路を備えた加湿器本体と、
前記加湿器本体内に配置され、下方に向かって水を供給する散水室と、
前記散水室の下方の空気流路内に配置され、該散水室から供給された水を吸収し、前記空気流路を流動する空気が通過する加湿部材と、
前記吸込口から空気流路に空気を取り入れ、前記加湿部材を通過させて加湿した後、前記吹出口から排出する送風手段とを備えた構成とし、
前記加湿部材により、鉛直面に対して上方側が徐々に離れるように傾斜させて配置することにより、前記散水室から落下させる水を、前記加湿部材の傾斜面に供給可能としたものである。
【０００７】
この構成により、散水室から落下させる水を加湿部材の全体に亘って供給しやすくなり、通過する空気を均等に加湿することが可能となる。
【０００８】
前記散水室は、前記空気流路に配置した加湿部材の上面にも水を供給可能であると、より一層、加湿部材の全体に亘って給水しやすくなる点で好ましい。
【０００９】
前記加湿部材は、前記加湿器本体に着脱可能に設けると、加湿部材の交換やメンテナンスを容易に行うことが可能となる点で好ましい。
【００１０】
前記加湿部材又は前記加湿器本体の少なくともいずれか一方に、前記空気流路からの空気の漏れを防止するガイド部を形成すると、無駄のない効率的な加湿が可能となる点で好ましい。
【発明の効果】
【００１１】
本発明によれば、加湿部材を傾斜させて設け、その傾斜面に給水可能としたので、加湿部材の全体に亘って給水することができ、通過する空気を効果的に加湿することが可能となる。
【発明を実施するための最良の形態】
【００１２】
以下、本発明に係る実施形態を添付図面に従って説明する。
図１及び図２は、本実施形態に係る加湿器を示す。この加湿器は、大略、加湿器本体１内に、散水室２と、加湿部材であるフィルタ部材３と、送風手段であるファン４とを配設した構成である。
【００１３】
加湿器本体１は、内部側方に上面から取り外し可能に給水タンク５が収容されている。また、加湿器本体１の内部下方には、給水タンク５から供給される水が貯水される貯水槽６が設けられている。なお、図示しないが、加湿器本体１の上面には、各種スイッチ、液晶等の表示部が設けられている。加湿器本体１は前後２つのケーシングを組み合わせたもので、これらの上面境界部分には、図８に示すように、ハンドル４２が装着されている。ハンドル４２は開口部４２ａを有する矩形枠体形状で、一方のケーシングから突出させた矩形筒部４０に外装し、矩形筒部４０の矩形凹部４０ａに他方のケーシングから突出させた突条部４１を係合することにより、加湿器本体１の上面に出没可能となる。これにより、ハンドル４２を使用しない場合には、加湿器本体１内に没入させることができ、外観に優れた構成とすることが可能である。なお、いずれか一方のケーシングにはハンドル４２をつかみやすいように逃がし凹部（図示せず）を形成するのが好ましい。
【００１４】
給水タンク５の下端開口部は、図１に示すように、キャップ７によって閉鎖されている。キャップ７には、押込可能に設けた閉鎖部８によって閉鎖された給水口９が形成されている。貯水槽６の底面中央部には突部１０が形成されている。これにより、加湿器本体１に給水タンク５を装着すると、キャップ７の閉鎖部８が突部１０に押し込まれて給水口９が開放し、貯水槽６への給水が行われる。但し、貯水槽６内の水位が上昇し、給水口９が水面下となれば、給水タンク５内への空気の流入が阻止されるため、給水タンク５内の空気圧が負圧となって給水は停止される。つまり、水位が給水口９よりも降下することにより給水され、上昇することにより給水が停止される。したがって、貯水槽６には、ほぼ一定量の水が貯水される。
【００１５】
また、加湿器本体１には、図２に示すように、前面の吸込口１１と、上面の吹出口１２とを連通する空気流路１３が形成されている。吸込口１１は、加湿器本体１の前面に着脱可能なカバー１４に形成される複数のスリットで構成されている。カバー１４の内側は、後述するフィルタ部材３を装着可能なフィルタ装着室１５となっている。フィルタ装着室１５の底面は、落下した水滴を回収できるように、１箇所の回収孔１６に向かって傾斜するように形成されている。回収孔１６には、回収管１７が接続されている。回収管１７は、後述する給水管２０に接続され、回収された水を給水管２０に還流させることができるようになっている。フィルタ装着室１５の上面には、補強リブ１８ａによって補強された係止受部１８が設けられている。係止受部１８には、後述するフィルタ部材３の係止部２９に形成した係止突部３０が係脱する係止凹部１８ｂが形成されている。フィルタ装着室１５の垂直面は、空気が通過しやすいように格子状に形成され、その外縁部には後述するフィルタ部材３の外縁部３１とで空気流路１３からの空気の漏れを防止する略三角形状のガイド部１９が突設されている。
【００１６】
散水室２は、上面が開口する箱形状で、加湿器本体１の内部上方に配設されている。散水室２の側面には、前記貯水槽６から延びる給水管２０が接続されている。給水管２０は、貯水槽６の下面から下方に突出し、水平方向に屈曲して空気流路１３の下方側に延びている。そして、給水管２０は、空気流路１３の下方側で略Ｕ字形となるように屈曲し、Ｕ字部２１を構成している。このＵ字部２１には、ヒータ２２が接触し、内部の水を加熱することができるようになっている。Ｕ字部２１には、サーミスタ等の温度検出センサ３３が設けられ、内部の水温を検出可能となっている。また、給水管２０は、Ｕ字部２１から給水タンク５に沿って上方に向かい、水平方向に屈曲して散水室２の側面を貫通し、その内部に突出している。そして、前記ヒータ２２に通電し、Ｕ字部２１内の水を加熱すると、加熱された水が沸騰し、給水管２０内を上昇することにより、散水室２内に給水可能となっている。この場合、散水室２への給水は間欠的に行われることになる。
【００１７】
また、散水室２の底面には、図４に示すように、長手方向に複数列で複数の貫通孔２４が形成されている。加湿器本体１の前面側に形成される貫通孔２４の列（上面給水部２５）は、後述するフィルタ部材３の上面に水を供給するためのものであり、背面側に形成される貫通孔２４の列（傾斜面給水部２６）は、傾斜面に水を供給するためのものである。貫通孔２４の数及び内径寸法は、落下させる単位時間当たりの水量をどのように設定するのかによって決定すればよい。
【００１８】
フィルタ部材３は、フィルタ本体２７内にフィルタ２８を収容したものである。
【００１９】
フィルタ本体２７は、図４に示すように、合成樹脂材料を箱状に成形したもので、上下面及び表裏面は格子状となっている。フィルタ本体２７の下面縁部は、フィルタ装着室１５の下面に沿うように形成されている。また、フィルタ本体２７の上面両側には、断面略Ｌ字形の係止部２９がそれぞれ突設されている。係止部２９は、弾性変形可能で、上面には前記フィルタ装着室１５の上面に形成した係止凹部１８に係脱する係止突部３０が形成されている。フィルタ本体２７の両側面に位置する外縁部３１の近傍には、前記フィルタ装着室１５のガイド部１９が近接し、空気流路１３からの空気の漏れが防止されている。但し、ガイド部１９は、フィルタ本体２７に形成したり、フィルタ本体２７とフィルタ装着室１５の両方に形成することも可能である。また、両者が当接するようにクッション材等を介在させれば、フィルタ部材３の傾斜した取付状態を安定させることができ、空気漏れを確実に防止可能となる点で好ましい。
【００２０】
フィルタ２８は、レーヨン、ポリエステル等の吸水性及び通気性に優れた材料を交互に折り畳んで蛇腹状にしたものである。フィルタ２８は、フィルタ部材３に、折り目が上下方向に沿うように収容される。これにより、散水室２から落下した水がスムーズに上方から下方へと浸透する。
【００２１】
前記構成のフィルタ部材３は、加湿器本体１からカバー１４を外し、露出したフィルタ装着室１５に装着される。この場合、フィルタ本体２７の下面縁部２７ａをフィルタ装着室１５の下面に当接させ、この当接部分を支点として回動させることによりフィルタ装着室１５へと収容することができる。そして、フィルタ本体２７の係止突部３０がフィルタ装着室１５の係止凹部１８に係止されることにより装着が完了する。この状態では、フィルタ本体２７の当接部３１がフィルタ装着室１５に形成した当接受部１９に当接することにより、フィルタ部材３が傾斜状態に維持される。そして、散水室２の上面給水部２５から落下する水は、フィルタ２８の前面側上面に供給される。また、散水室２の傾斜面給水部２６から落下する水は、フィルタ２８の傾斜面のうち、下方側の２／３の領域に供給される。これにより、フィルタ２８に供給した水が、フィルタ２８の全体に亘って浸透しやすくなる。
【００２２】
ファン４は円筒状で、外周部に複数のフィンを並設されたシロッコファンが使用されている。このファン４は、回転することにより、中心部に空気を吸い込んで、外周部に空気流れを発生させるものである。ファン４は、空気流路１３の途中に形成した筒状の送風室３２内に配置され、図示しないモータの駆動により回転する。送風室３２は、その内周面がファン４の外周形状に対して周方向に徐々に広がるように形成されている。これにより、吸込口１１から空気流路１３内に周囲の空気が吸い込まれ、フィルタ部材３を通過した後、送風室３２から吹出口１２に向かって吹き出される。
【００２３】
次に、前記構成からなる加湿器の動作について説明する。
【００２４】
（加湿モード）  まず、加湿器本体１から給水タンク５を取り出し、上下逆にしてキャップ７を外し、給水タンク５内に給水する。そして、給水タンク５にキャップ７を取り付けて加湿器本体１内に装着すると、突起によってキャップ７の閉鎖部８が押し込まれ、給水口９が開放される。これにより、給水タンク５から貯水槽６に給水される。貯水槽６での水位が上昇して給水口９を越えると、給水タンク５から貯水槽６への給水が停止する。
【００２５】
続いて、電源を入れ、加湿モードを選択する。これにより、モータが駆動してファン４が回転すると共にヒータ２２への通電が開始される。ファン４の単位時間当たりの回転数と、ヒータ２２への印加電圧とは、選択した加湿モードによって決定される。
【００２６】
ヒータ２２への通電により、給水管２０のＵ字部２１内の水が加熱されて沸騰し、散水室２へと供給される。散水室２に供給された水は、貫通孔２４を介してフィルタ部材３に向かって落下し、前述の通り、フィルタ２８の前面側上面と、傾斜面の下方側２／３の領域とに供給される。このため、供給された水はフィルタ２８の全体に亘ってスムーズに浸透する。この結果、ファン４の駆動により、吸込口１１から吸い込まれた空気がフィルタ２８を通過すると、いずれの領域を通過しても十分に加湿されることになる。また、供給される水は沸騰により滅菌されるので、フィルタ部材３は常に清潔な状態に維持される。
【００２７】
なお、フィルタ部材３から落下した水は、フィルタ装着室１５の底面に形成した回収孔１６から回収管１７を介して給水管２０に回収され、再び加熱により沸騰された後、散水室２へと供給される。
【００２８】
（除菌モード）  フィルタ部材３には沸騰後の水を供給しているが、フィルタ２８が水を含有した状態で、長時間放置されると、細菌やカビが発生する恐れがある。このため、定期的にフィルタ２８の除菌を行う。すなわち、図示しない除菌スイッチを操作して、図５に示すフローチャートに従って除菌モードを開始する。
【００２９】
除菌モードでは、表示部に除菌モードであることを示す所定の表示（除菌モード表示）を行うと共に、ヒータ２２に通電してＵ字部２１内の水を沸騰させる（ステップＳ１，Ｓ２）。表示部での表示方法は、例えば、図９に示すように、一定時間毎にセグメント表示を順次（ａ）〜（ｄ）に切り替えるようにすればよい。
【００３０】
続いて、カウントｔａを開始し（ステップＳ３）、第１設定時間ｔ１（ここでは９０分）経過したか否かを判断する（ステップＳ４）。第１設定時間が経過するまでは、ヒータ２２による加熱が続行され、フィルタ部材３には沸騰水が供給される。これにより、フィルタ２８は除菌される。空でなければ、第１設定時間ｔ１が経過することにより、ヒータ２２への通電を停止すると共に（ステップＳ５）、ファン４の回転を開始する（ステップＳ６）。この場合、ファン４は弱運転とする。また、フラグを立て（Ｆ＝１）、カウントｔｂを開始する（ステップＳ７，Ｓ８）。
【００３１】
この間、給水タンク５が空になっているか否かを判断する（ステップＳ９）。空であると判断すれば、給水モードに移行する。空でなければ、フラグが立っているか否かを判断し（ステップＳ１０）、フラグが立っていれば（Ｆ＝１）、すなわち第１設定時間が経過してヒータ２２への通電が停止すれば、カウントｔｂが第２設定時間ｔ２（ここでは５分）経過したか否かを判断する（ステップＳ１１）。そして、第２設定時間ｔ２経過すれば、ヒータ２２への通電、ファン４の回転、及び除菌モード表示を停止し（ステップＳ１２）、除菌モードが終了した旨を報知した後（ステップＳ１３）、待機モードに移行する（ステップＳ１４）。
【００３２】
このように、除菌モードを実行することにより、フィルタ部材３のフィルタ２８が沸騰水によって除菌され、常に清潔な状態で使用することができる。なお、除菌モードは、加湿器の一定時間の不使用により、次回の使用時に自動的に行うようにしてもよい。これにより、除菌のし忘れを防止することが可能となる。
【００３３】
なお、前記除菌モードでは、フィルタ２８への沸騰水の供給後、一定時間ファンのみを駆動してフィルタ２８を乾燥させるのが好ましい。
【００３４】
（蒸発モード）  給水タンク５内の残留水を破棄し、フィルタ２８を乾燥させたとしても、給水管等に水分が残留することがある。そこで、図６に示すフローチャートに従って蒸発モードで駆動することにより、内部に残留する水分を完全に除去して雑菌の発生を完全に防止する。
【００３５】
蒸発モードでは、表示部に蒸発モードであることを示す所定の表示（蒸発モード表示）を行い、ヒータ２２に通電すると共に、ファン４を弱風モードで回転駆動する（ステップＳ２１，Ｓ２２，Ｓ２３）。表示部での表示方法は、例えば、図１０に示すように、前述の除菌モードとは異なるパターンで、一定時間毎にセグメント表示を順次（ａ）〜（ｄ）に切り替えるようにすればよい。
【００３６】
続いて、カウントｔａを開始し（ステップＳ２４）、第１設定時間（ここでは、９５分）経過したか否かを判断する（ステップＳ２５）。経過していなければ、温度検出センサ３３で検出される給水管２０のＵ字部２１での水温Ｔが設定温度Ｔ１（ここでは、８０℃）を越えたか否かを判断する（ステップＳ２６）。越えていなければ、ヒータ２２による加熱を続行する。
【００３７】
第１設定時間ｔ１が経過する、あるいは、温度検出センサ３３での検出温度Ｔが設定温度Ｔ１を超えれば、給水管２０内での残留水が完全に蒸発したものと判断し、ヒータ２２への通電を停止する（ステップＳ２７）。ファン４を弱運転で回転させると共に（ステップＳ２８）、フラグを立て（Ｆ＝１）、第２設定時間ｔ２（ここでは、５分）のカウントｔｂを開始する（ステップＳ２９，Ｓ３０）。
【００３８】
その後、フラグが立っているか否かを判断し（ステップＳ３１）、立っていなければ、ステップＳ２５に戻って前記処理を繰り返す。フラグが立っていれば、第２設定時間ｔ２経過したか否かを判断し（ステップＳ３２）、第２設定時間ｔ２が経過するまでファン４による送風を続行し、空気流路１３内を乾燥させる。第２設定時間が経過すれば、空気流路１３での乾燥も十分に完了したものと判断し、ファン４の回転及び表示部での蒸発モード表示を停止し（ステップＳ３３）、蒸発モードの終了を報知した後（ステップＳ３４）、待機モードに移行する（ステップＳ３５）。
【００３９】
このように、蒸発モードを実行することにより、加湿器を片づける場合等、長期に亘って使用しない場合には、図７に示すフローチャートに従って残留水を完全に除去することができるので、次回の使用時までに雑菌が繁殖する等の不具合を確実に防止することが可能となる。
【００４０】
（フィルタ有無及びファン故障判定）  例えば、フィルタ部材３が装着されない状態で、加湿モードや除菌モードを行うことはできないため、加湿器の運転開始時には、フィルタ２８の有無を判定する。また、ファン４が故障して回転しなければ、加湿そのものができないため、ファン４の故障についても判定する。
【００４１】
まず、給水管２０のＵ字部２１に設けた温度検出センサ３３での検出温度Ｔを読み込み（ステップＳ４１）、カウントｔａを開始する（ステップＳ４２）。検出温度Ｔが予め設定した第１設定温度Ｔ１（ここでは、６０℃）以上であるか否かを判断する（ステップＳ４３）。検出温度Ｔが第１設定温度Ｔ１以上であれば、フィルタ部材３が装着されていないと判定する（ステップＳ５３）。すなわち、フィルタ部材３が装着されている場合、散水室２から供給された水は、フィルタ２８に吸水され、空気が通過する際に気化することにより熱を奪われる。フィルタ部材３に供給されてフィルタ２８に吸水されなかった余分な水はフィルタ装着室１５の下方に落下する。この水は、フィルタ２８での気化の影響を受けて温度が低下しているため、回収管１７を介して給水管２０へと還流されることにより、給水管２０内の水温の上昇を抑える。したがって、温度検出センサ３３での検出温度が第１設定温度を超えることがない。一方、フィルタ部材３が装着されていない場合、散水室２から供給される水が殆ど温度低下することなくそのまま回収管１７を介して給水管２０へと還流する。このため、温度検出センサ３３での検出温度が第１設定温度を超えて上昇することになる。
【００４２】
いずれかの運転モードが選択されて加湿器の駆動が開始されてから第１設定時間ｔ１（ここでは、５分）が経過したか否かを判断する（ステップＳ４４）。第１設定時間ｔ１経過するまでにフィルタ部材３がないと判断されなければ、さらにカウントｔｂを開始し（ステップＳ４５）、第２設定時間ｔ２経過するまで、温度検出センサ３３で温度検出を続行し（ステップＳ４６）、その間の温度の変化度合いｒを算出する（ステップＳ４７）。そして、検出温度の変化度合いｒを、予め設定した第１基準値α１及び第２基準値α２と比較する（ステップＳ４８，Ｓ４９）。
【００４３】
フィルタ部材３がない場合、散水室２から落下した水は、冷却されることなく、回収管１７を介して給水管２０に還流されるので、温度検出センサ３３で検出される温度の上昇度合いはフィルタ部材３がある場合に比べて大きく変化する。また、フィルタ部材３がある場合でも、ファンが故障して空気がフィルタ２８を通過しない場合には、検出温度の上昇度合いは、フィルタ部材３がある場合に比べて大きく変化するものの、フィルタ２８に吸収された水は多少気化するため、フィルタ部材３がない場合のような大きな変化とはならない。
【００４４】
そこで、第１基準値は、フィルタ部材３がない場合の検出温度の上昇度合いに比べて大きな値とする。また、第２基準値は、フィルタ部材３がない場合の検出温度の上昇度合いに比べて小さく、かつ、ファン４が故障して空気がフィルタ２８を通過しない場合の検出温度の上昇度合いに比べて大きな値とする。
【００４５】
検出温度の変化度合いが第１基準値以上となれば、フィルタ部材３がないと判定し（ステップＳ５３）、第１基準値未満であれば、フィルタ部材３があると判定する（ステップＳ５１）。また、検出温度の変化度合いが第２基準値以上となれば、ファン４が故障していると判定する（ステップＳ５２）。
【００４６】
このように、温度検出センサ３３での検出温度のみならず、その変化度合いをも考慮してフィルタ２８の有無を判定するようにしているので、誤検出を確実に防止することが可能となる。しかも、検出温度の変化度合いに基づいてファン４が故障ているか否かをも検出することができ、センサを追加することなく、安価に対応することが可能である。
【００４７】
但し、前記フィルタ有無判定では、温度検出センサ３３での検出温度を基準値と比較することのみによって行うことも可能であるし、検出温度の変化度合いを基準値と比較することのみによって行うことも可能である。
【図面の簡単な説明】
【００４８】
【図１】本実施形態に係る加湿器の正面部分断面図である。
【図２】本実施形態に係る加湿器の側面断面図である。
【図３】本実施形態に係る加湿器の図１とは異なる他の箇所での正面部分断面図である。
【図４】図２の散水室及びフィルタ部材を示す拡大断面図である。
【図５】除菌モードを示すフローチャートである。
【図６】蒸発モードを示すフローチャートである。
【図７】フィルタ有無及びファン故障判定モードを示すフローチャートである。
【図８】図１の加湿器本体上面に設けられるハンドルの取付構造を示す概略分解斜視図である。
【図９】表示部に除菌モード表示する場合の表示状態の変化を示す説明図である。
【図１０】表示部に蒸発モード表示する場合の表示状態の変化を示す説明図である。
【符号の説明】
【００４９】
１…加湿器本体
２…散水室
３…フィルタ部材（加湿部材）
４…ファン（送風手段）
５…給水タンク
６…貯水槽
７…キャップ
８…閉鎖部
９…給水口
１０…突部
１１…吸込口
１２…吹出口
１３…空気流路
１４…カバー
１５…フィルタ装着室
１６…回収孔
１７…回収管
１８…係止凹部
１８ａ…補強リブ
１８ｂ…係止凹部
１９…ガイド部
２０…給水管
２１…Ｕ字部
２２…ヒータ
２３…断熱材
２４…貫通孔
２５…上面給水部
２６…傾斜面給水部
２７…フィルタ本体
２７ａ…下面縁部
２８…フィルタ
２９…係止部
３０…係止突部
３１…当接部
３２…送風室
３３…温度検出センサ
４０…矩形筒部
４０ａ…矩形凹部
４１…突条部
４２…ハンドル
【図１】
2005049046.tif 000003
【図２】
2005049046.tif 000004
【図３】
2005049046.tif 000005
【図４】
2005049046.tif 000006
【図５】
2005049046.tif 000007
【図６】
2005049046.tif 000008
【図７】
2005049046.tif 000009
【図８】
2005049046.tif 000010
【図９】
2005049046.tif 000011
【図１０】
2005049046.tif 000012